【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
生体の上肢の皮膚上に位置固定の超音波センサを当接させて該上肢内の血管の血管パラメータを測定するに際して該生体の上肢を載置するための生体血管パラメータ測定用上肢保持装置であって、
所定間隔を隔てて上側へ突き出す第１支持部および第２支持部が固設された基台と、
前記上肢の手又は手首を受ける第１受部材と前記上肢の中間部を受ける第２受部材と該第１受部材および第２受部材を相互に連結する連結部とを一体的に備え、一端部が前記第１支持部によって回動可能に支持されるとともに他端部が前記第２支持部により回動可能に支持された可動支持部材と、
該可動支持部材の回動をいずれの回動位置においても固定可能な回動固定装置と
を、含むことを特徴とする生体血管パラメータ測定用上肢保持装置。
【請求項２】
前記第２受部材は前記第２支持部の上面に形成された凹面を介して回動方向の摺動可能に支持されたものであり、
前記可動支持部材は、前記第２受部材よりも上側を通る回動軸心まわりに回動させられるものであることを特徴とする請求項１の生体血管パラメータ測定用上肢保持装置。
【請求項３】
前記第１受部材には、前記上肢の手で握られるグリップが立設されていることを特徴とする請求項１または２の生体血管パラメータ測定用上肢保持装置。
【請求項４】
前記可動支持部材の一端部には、前記第１受部材よりも低く上側へ突き出して前記第１支持部に回動可能に連結されて支持されたブラケットが設けられ、
前記可動支持部材は、前記第１受部材の上端よりも下側であり且つ前記第２受部材よりも上側を通る斜めの回動軸心まわりに回動させられるものであることを特徴とする請求項１乃至３のいずれか１の生体血管パラメータ測定用上肢保持装置。
【請求項５】
前記ブラケットには前記回動軸心と同心の回動軸が前記第１受部材とは反対側へ突設されるとともに、前記第１支持部には該回動軸が貫通させられた円筒状軸受が固設されており、
前記回動固定装置は、該円筒状軸受を通した前記回動軸の先端部に該回動軸の軸心に直交する方向の軸心まわりにロック位置と解放位置との間で回動可能に設けられた棒状ハンドルと、該棒状ハンドルの基部において前記円筒状軸受の端面に係合可能に形成されて前記解放位置から前記ロック位置への回動に伴って該端面に対する押圧力を増加させるカム部とから構成されることを特徴とする請求項４の生体血管パラメータ測定用上肢保持装置。
【手続補正２】
【補正対象書類名】明細書
【補正対象項目名】０００７
【補正方法】変更
【補正の内容】
【０００７】
すなわち、上記目的を達成するための請求項１に係る発明の生体血管パラメータ測定用上肢保持装置は、(a) 生体の上肢の皮膚上に位置固定の超音波センサを押し当てて該上肢内の血管の血管パラメータを測定するに際して該生体の上肢を載置するための生体血管パラメータ測定用上肢保持装置であって、(b) 所定間隔を隔てて上側へ突き出す第１支持部材および第２支持部材が固設された基台と、(c) 前記上肢の手又は手首を受ける第１受部材と前記上肢の中間部を受ける第２受部材と該第１受部材および第２受部材を相互に連結する連結部とを一体的に備え、一端部が前記第１支持部によって回動可能に支持されるとともに他端部が前記第２支持部により回動可能に支持された可動支持部材と、(d) その可動支持部材の回動をいずれの回動位置においても固定可能な回動固定装置とを、含むことを特徴とする。
【手続補正３】
【補正対象書類名】明細書
【補正対象項目名】０００８
【補正方法】変更
【補正の内容】
【０００８】
また、請求項２に係る発明の生体血管パラメータ測定用上肢保持装置は、請求項１に係る発明において、(e) 前記第２受部材は前記第２支持部の上面に形成された凹面を介して回動方向の摺動可能に支持されたものであり、(f) 前記可動支持部材は、前記第２受部材よりも上側を通る回動軸心まわりに回動させられるものであることを特徴とする。
【手続補正４】
【補正対象書類名】明細書
【補正対象項目名】０００９
【補正方法】変更
【補正の内容】
【０００９】
また、請求項３に係る発明の生体血管パラメータ測定用上肢保持装置は、請求項１または２に係る発明において、(g) 前記第１受部材には、前記上肢の手で握られるグリップが立設されていることを特徴とする。
【手続補正５】
【補正対象書類名】明細書
【補正対象項目名】００１０
【補正方法】変更
【補正の内容】
【００１０】
また、請求項４に係る発明の生体血管パラメータ測定用上肢保持装置は、請求項１乃至３のいずれか１に係る発明において、(h) 前記可動支持部材の一端部には、前記第１受部材よりも低く上側へ突き出して前記第１支持部に回動可能に連結されて支持されたブラケットが設けられ、(i) 前記可動支持部材は、前記第１受部材の上端よりも下側であり且つ前記第２受部材よりも上側を通る斜めの回動軸心まわりに回動させられるものであることを特徴とする。
【手続補正６】
【補正対象書類名】明細書
【補正対象項目名】００１１
【補正方法】変更
【補正の内容】
【００１１】
また、請求項５に係る発明の生体血管パラメータ測定用上肢保持装置は、請求項４に係る発明において、(j) 前記ブラケットには前記回動軸心と同心の回動軸が前記第１受部材とは反対側へ突設されるとともに、前記第１支持部には該回動軸が貫通させられた円筒状軸受が固設されており、(k) 前記回動固定装置は、該円筒状軸受を通した前記回動軸の先端部に該回動軸の軸心に直交する方向の軸心まわりにロック位置と解放位置との間で回動可能に設けられた棒状ハンドルと、該棒状ハンドルの基部において前記円筒状軸受の端面に係合可能に形成されて前記解放位置から前記ロック位置への回動に伴って該端面に対する押圧力を増加させるカム部とから構成されることを特徴とする。
【手続補正７】
【補正対象書類名】明細書
【補正対象項目名】００１３
【補正方法】変更
【補正の内容】
【００１３】
また、請求項２に係る発明の生体血管パラメータ測定用上肢保持装置によれば、前記第２受部材は前記第２支持部の上面に形成された凹面を介して回動方向の摺動可能に支持されたものであり、前記可動支持部材は、前記第２受部材よりも上側を通る回動軸心まわりに回動させられるものであることから、上肢の中間部内を通る回動軸心まわりに上肢が回動させられるので、位置固定の超音波センサ直下の血管の位置ずれが抑制される。
【手続補正８】
【補正対象書類名】明細書
【補正対象項目名】００１４
【補正方法】変更
【補正の内容】
【００１４】
また、請求項３に係る発明の生体血管パラメータ測定用上肢保持装置によれば、前記第１受部材には、上肢の手で握られるグリップが立設されていることから、可動支持部材の回動と上肢の回動との関連性が一層高められる。
【手続補正９】
【補正対象書類名】明細書
【補正対象項目名】００１５
【補正方法】変更
【補正の内容】
【００１５】
また、請求項４に係る発明の生体血管パラメータ測定用上肢保持装置によれば、前記可動支持部材の一端部には、前記第１受部材よりも低く上側へ突き出して前記第１支持部に回動可能に連結されて支持されたブラケットが設けられ、前記可動支持部材は、前記第１受部材の上端よりも下側であり且つ前記第２受部材よりも上側を通る斜めの回動軸心まわりに回動させられるものであることから、上記の手よりも下側から上肢の中間部内を通る斜めの回動軸心まわりに上肢が回動させられるので、位置固定の超音波センサ直下の血管の位置ずれが抑制される。
【手続補正１０】
【補正対象書類名】明細書
【補正対象項目名】００１６
【補正方法】変更
【補正の内容】
【００１６】
また、請求項５に係る発明の生体血管パラメータ測定用上肢保持装置によれば、前記ブラケットには前記回動軸心と同心の回動軸が前記第１受部材とは反対側へ突設されるとともに、前記第１支持部にはその回動軸が貫通させられた円筒状軸受が固設されており、前記回動固定装置は、その円筒状軸受から突き出た前記回動軸の先端部に該回動軸の軸心に直交する方向の軸心まわりにロック位置と解放位置との間で回動可能に設けられた棒状ハンドルと、その棒状ハンドルの基部において前記円筒状軸受の端面に係合可能に形成されて前記解放位置から前記ロック位置への回動に伴って該端面に対する押圧力を増加させるカム部とから構成されることから、回動固定装置は第１受部材の上端よりも下側に位置して前記円筒状軸受から突き出た回動軸の先端部に設けられているので、その棒状ハンドルの基部は下側に位置させられるとともに、ロック位置ではその棒状ハンドルは倒される状態となるので、測定操作の支障となることが防止される。
【手続補正１１】
【補正対象書類名】明細書
【補正対象項目名】００３２
【補正方法】変更
【補正の内容】
【００３２】
上述のように、本実施例の生体血管パラメータ測定用上肢保持装置１０によれば、所定間隔を隔てて上側へ突き出す第１支持部８２および第２支持部８４が固設された基台７４に、上肢１１の手９０又は手首９２を受ける第１受部材９６と前記上肢１１の肘（中間部）９８を受ける第２受部材１０２とその第１受部材９６および第２受部材１０２を相互に連結する連結部１０４とを一体的に備えた可動支持部材７６が、その一端部が前記第１支持部８２によって回動可能に支持されるとともに他端部が前記第２支持部８４により回動可能に支持されるとともに、その可動支持部材７６の回動をいずれの回動位置においても固定可能な回動固定装置７８が設けられているので、上腕３６の回動位置を上記可動支持部材７６を回動させながら変化させ、ハイブリッドプローブユニット（超音波センサ）２４から得られる測定信号が最もノイズパターン（ノイズ）１３４の少ない回動位置で上記回動固定装置７８でその可動支持部材７６の回動を固定することにより、生体１６の上肢１１の血管パラメータの測定に際して高い精度の測定が可能となる。
【手続補正１２】
【補正対象書類名】明細書
【補正対象項目名】００５６
【補正方法】変更
【補正の内容】
【００５６】
１０、１３６：生体血管パラメータ測定用上肢保持装置
１１：上肢
１２：血管
１６：被測定者（生体）
２４：ハイブリッドプローブユニット（超音波センサ）
７４：基台
７６：可動支持部材
７８：回動固定装置
８２：第１支持部
８４：第２支持部
８６：円筒状軸受
８８：凹面摺動部（凹面）
９０：手
９２：手首
９６：第１受部材
９８：肘（中間部）
１０２、１３７：第２受部材
１０４：連結部
１１０：第１グリップ（グリップ）
１１６：ブラケット
１１８：回動軸
１２２：棒状ハンドル
１２６：二股の両端部（基部）
１３３：カム部
１３４：ノイズパターン（ノイズ）